(57)【特許請求の範囲】
【請求項１】
店舗側装置と、現金集配側装置と、金融機関側装置と、前記店舗側装置、前記現金集配側装置及び前記金融機関側装置にネットワークを介して接続されるセンタ側装置とを備える売上金回収・送金システムにおいて、
前記店舗側装置は、
前記ネットワークに接続され通信を行う店舗側通信インタフェース部と、入金された貨幣を収納する貨幣回収金庫と、店舗の売上現金が入金された場合に入金金額を求めると共に前記貨幣回収金庫に収納する入金処理部と、前記入金処理部で求められた入金金額の情報及び当該店舗側装置を識別するための店舗識別子を収容する通信信号であるセンタ宛入金情報信号を前記店舗側通信インタフェース部を用いて前記センタ側装置に送信する店舗側送信処理部とを備え、
前記センタ側装置は、
前記ネットワークに接続され通信をそれぞれ行うセンタ側通信インタフェース部と、店舗識別子と入金金額の情報とを対応付けて登録する店舗側装置入金情報テーブルを記憶するセンタ側記憶部と、前記センタ側通信インタフェース部を介して前記店舗側装置から前記センタ宛入金情報信号を受信した場合に、前記受信したセンタ宛入金情報信号に収容されている店舗識別子と入金金額の情報とを前記店舗側装置入金情報テーブルに登録すると共に、前記受信したセンタ宛入金情報信号に収容されている店舗識別子と入金金額の情報とを収容する通信信号である現金集配宛入金情報信号及び金融機関宛入金情報信号を前記センタ側通信インタフェース部を用いて前記現金集配側装置及び前記金融機関側装置へそれぞれ送信する入金情報処理部とを備え、
前記金融機関側装置は、
前記ネットワークに接続され通信を行う金融機関側通信インタフェース部と、店舗識別子と該店舗識別子に対応する店舗側装置が設置される店舗の口座情報とを対応付けて登録する店舗側装置口座情報テーブルを記憶する金融機関側記憶部と、前記金融機関側通信インタフェース部を介して前記センタ側装置から前記金融機関宛入金情報信号を受信した場合に、前記受信した金融機関宛入金情報信号に収容されている店舗識別子に対応する口座を前記店舗側装置口座情報テーブルから検索し、検索した口座へ前記受信した金融機関宛入金情報信号に収容されている入金金額を振り替える振替処理部とを備え、
前記現金集配側装置は、
前記ネットワークに接続され通信を行う現金集配側通信インタフェース部と、店舗識別子と該店舗識別子に対応する店舗側装置における貨幣回収金庫に収納されている貨幣量とを対応付けて登録する店舗側装置別貨幣量テーブルを記憶する現金集配側記憶部と、前記現金集配側通信インタフェース部を介して前記センタ側装置から前記現金集配宛入金情報信号を受信した場合に、前記受信した現金集配宛入金情報信号に基づいて前記店舗側装置別貨幣量テーブルの登録内容を更新するテーブル処理部と、前記店舗側装置別貨幣量テーブルの登録内容を出力する現金集配側出力部とを備え、
前記店舗側装置は、
前記入金された貨幣を一時的に保管する保管部と、つり銭の出金が要求された場合に前記保管部から前記要求されたつり銭額の出金を行う出金処理部と、前記つり銭の出金を行う時刻を指定するための出金時刻入力部とをさらに備え、前記貨幣回収金庫には、前記保管部からの前記出金後の貨幣が収納され、前記店舗側送信処理部は、さらに、出金処理部で出金された出金金額の情報及び当該店舗側装置の店舗識別子を収容する通信信号であるセンタ宛出金情報信号を前記店舗側通信インタフェース部を用いて前記センタ側装置に送信し、前記出金処理部は、前記指定された時刻に前記つり銭の出金を行い、
前記センタ側装置において、
前記店舗側装置入金情報テーブルは、さらに出金金額の情報を店舗識別子と対応付けて登録する店舗側装置入出金情報テーブルであり、前記入金情報処理部は、前記センタ側通信インタフェース部を介して前記店舗側装置から前記センタ宛出金情報信号を受信した場合に、前記受信したセンタ宛出金情報信号に収容されている店舗識別子と出金金額の情報とを前記店舗側装置入出金情報テーブルに登録すると共に、前記受信したセンタ宛出金情報信号に収容されている店舗識別子と出金金額の情報とを収容する通信信号である現金集配宛出金情報信号及び金融機関宛出金情報信号を前記現金集配側装置及び前記金融機関側装置へそれぞれ送信する入出金情報処理部であり、
前記金融機関側装置において、
前記振替処理部は、さらに、前記金融機関側通信インタフェース部を介して前記センタ側装置から前記金融機関宛出金情報信号を受信した場合に、前記受信した金融機関宛出金情報信号に収容されている店舗識別子に対応する口座を前記店舗側装置口座情報テーブルから検索し、検索した口座へ前記受信した金融機関宛出金情報信号に収容されている出金金額を振り替え、
前記現金集配側装置において、
前記テーブル処理部は、前記現金集配側通信インタフェース部を介して前記センタ側装置から前記現金集配宛出金情報信号を受信した場合に、前記受信した現金集配宛出金情報信号に基づいて前記店舗側装置別貨幣量テーブルの登録内容を更新すること
を特徴とする売上金回収・送金システム。
【請求項２】
前記現金集配側装置において、
店舗識別子と該店舗識別子に対応する店舗側装置から回収した回収金額とを入力する現金集配側入力部と、前記現金集配側入力部から入力された前記店舗識別子及び前記回収金額の情報を収容する通信信号であるセンタ宛回収情報信号を前記現金集配側通信インタフェース部を用いて前記センタ側装置に送信する現金集配側送信処理部とをさらに備え、
前記テーブル処理部は、前記現金集配側入力部から前記店舗識別子と前記回収金額が入力された場合に、前記入力された前記店舗識別子と前記回収金額とに基づいて前記店舗側装置別貨幣量テーブルの登録内容を更新し、
前記センタ側装置において、
前記センタ側記憶部は、店舗識別子と回収金額の情報とを対応付けて登録する店舗側装置回収履歴情報テーブルを記憶し、前記センタ側通信インタフェース部を介して前記現金集配側装置から前記センタ宛回収情報信号を受信した場合に、前記受信したセンタ宛回収情報信号に収容されている店舗識別子と回収金額の情報とを前記店舗側装置回収履歴情報テーブルに登録すると共に、前記受信したセンタ宛回収情報信号に収容されている店舗識別子と回収金額の情報とを収容する通信信号である金融機関宛回収情報信号を前記センタ側通信インタフェース部を用いて前記金融機関側装置へ送信する回収履歴処理部をさらに備えること
を特徴とする請求項１に記載の売上金回収・送金システム。
【請求項３】
前記店舗側装置において、
個人認証を行うと共に、当該店舗側装置を取り扱い可能な個人を認証した場合に売上現金の入金を許可する認証部をさらに備えること
を特徴とする請求項１又は請求項２に記載の売上金回収・送金システム。
【発明の詳細な説明】
【技術分野】
【０００１】
本発明は、店舗の売上金を回収すると共につり銭を出金する売上金回収・送金システムに関する。
【背景技術】
【０００２】
店舗の売上金は、一般に、一日の営業が終わると、計数され、店舗の金庫に保管されたり、盗難等に備えるために銀行の夜間金庫へ預けられたりする。そして、店舗の金庫に保管される場合には、翌日にその日に必要となるつり銭の現金を取り分け残余の売上金が銀行に持ち込まれて預けられる。また、夜間金庫へ預ける場合には、翌日に銀行へ行ってその日に必要となるつり銭の現金を受け取り残余の売上金がそのまま預けられる。
【０００３】
個人経営の店舗の場合等では、店舗が一個であるので、このような方法で売上金の管理が終了するが、複数の店舗を経営する場合には、さらに、各店舗から売上金を集金する一方つり銭を配る必要がある。例えば、特許文献１には、次のような売上金管理方法が開示されている。
【０００４】
図１７は、特許文献１における第１の売上金管理方法を説明するための図である。図１７において、一日の営業が終わると、各店舗１０９２では、１又は複数のレジスタ１９２２に収納された売上金の現金は、計算されて金庫１９２３に集められて格納され、施錠される。あるいは、一日の売上金額が多い場合や夜間無人になる場合等では盗難等に備えるために、夜間金庫１０９７へ預けられる。売上金の売上データは、店舗１０９２の責任者によって本社１０９３に通知される一方、売上金の売上現金は、例えば、一日に一回、現金集配業務を行う現金集配機関である運搬会社１０９５の現金輸送車１０９６よって回収される。店舗の責任者は、現金集配の担当者に対し売上現金を渡し、また、担当者は、責任者に対し店舗で使用するつり銭を渡し、現金の受け渡しに対応する伝票を店舗側に渡す。運搬会社１０９５は、現金輸送車１０９６によって回収された現金を各店舗ごとに再計算等を行って確認した後に、銀行１０９４への入金操作（振込み）を行う。振込先は、店舗１０９２を経営する本社１０９３の口座である。銀行１０９４は、この振込みがあると本社１０９３へ振込みの金額や関連する情報を通知する。
【０００５】
ところで、特許文献１には、上述の第１の売上金管理方法よりも、現金集配における現金取扱いの効率化や誤りの防止、あるいは、売上データのリアルタイム化等を行うことができる第２の売上金管理方法が提案されている。
【０００６】
図１８は、特許文献１における第２の売上金管理方法を説明するための図である。図１８において、第２の売上金管理方法が適用される売上金管理システムは、店舗１０００に配置される入金機１００２、通信手段１００３及び警備手段１００４と、センター１００６に配置される警備センター１００６ａ及び入金処理センター１００６ｂとを備えて構成される。警備手段１００４は、店舗１０００内の保安、火災等を検出してアラームを発生すると共に通信手段１００３及び通信回線１００８を介して警備センター１００６ａに通知する。警備センター１００６ａは、店舗の警備を管理する。入金処理センター１００６ｂは、入金データの受信、入金機１００２の現金の状態、銀行１００７へ立替払いによる振り込み、及び、入金機１００２から売上現金の回収等の店舗の売上金を管理する。入金機１００２は、通信手段３及び通信回線１００８を介して入金処理センター１００６ｂに接続され、現金処理手段１００２ａと、データ処理手段１００２ｂと、カード読取手段１００２ｃと、金庫手段１００２ｄとを備えて構成される。
【０００７】
入金機１００２に売上金を入金すべく店舗１０００の責任者がＩＤカードをカード読取手段１００２ｃに入力し売上現金を投入すると、現金処理手段１００２ａは、投入された売上現金を金種別に計数して入金金額を算出し、売上現金を金庫手段１００２ｄに格納すると共に、算出した入金金額をデータ処理手段１００２ｂに出力する。カード読取手段１００２ｃがＩＤカードをチェックすると、データ処理手段１００２ｂは、入金金額及び入金機１００２の識別子を含む入金データを通信手段１００３及び通信回線１００８を介して入金処理センター１００６ｂに送信すると共に、通信手段１００３を用いて店舗１０００の本社１００５にも入金データを送信する。入金処理センター１００６ｂは、各店舗１０００の入金機１００２から入金データを受信すると、入金データの総額に対応する金額を銀行１００７に振り込み（送金）、立替払いを行う。また、センター１００６の指示により担当者が専用車両により店舗１０００に行って、集配用のＩＤカードを用いて金庫手段１００２ｄを開錠し、売上現金を回収すると共につり銭を配る。
【特許文献１】特開平０９−０１６６９１号公報
【発明の開示】
【発明が解決しようとする課題】
【０００８】
ところで、近年の金融分野の規制緩和によって銀行間の競争が激化し、銀行は、収益の見込めない業務から撤退しつつある。このような状況の中で従来無償サービスとして行われていた日々の売上金やつり銭の集配金が廃止されつつあり、また、夜間金庫の新規契約が停止され、さらに、夜間金庫が廃止される方向にある。そのため、上述した夜間金庫を利用した売上金管理方法が成立しなくなりつつあり、日々の売上金の回収やつり銭の手配を行う新しいシステムが要望されている。
【０００９】
また、特許文献１における第１の売上金管理方法では、上述の夜間金庫の問題を抱え、さらに、売上金を各店舗から本社に回収するまでタイムラグがあるため、その間に売上金を運転資金に回すことができない。この点、特許文献１における第２の売上金管理方法では、センターが立替払いをするのでタイムラグを解消することができる。
【００１０】
しかしながら、この第２の売上金管理方法では、センターが立替え払いを行っており、売上金額が大きいとその立替払いの金額が大きくなってしまい、それに対応することができなくなってしまう。逆に、日々の売上金額が比較的少ない店舗では、このような第２の売上金管理方法では、利用料金が高く、現実には利用することができない。
【００１１】
本発明は、上述の事情に鑑みて為された発明であり、売上金額が大きくても取り扱い可能であり、また、比較的低料金で利用することができる売上金回収・送金システムを提供することを目的とする。
【課題を解決するための手段】
【００１２】
上述の目的を達成するために、本発明の第１の態様に係る、店舗側装置と、現金集配側装置と、金融機関側装置と、前記店舗側装置、前記現金集配側装置及び前記金融機関側装置にネットワークを介して接続されるセンタ側装置とを備える売上金回収・送金システムにおいて、前記店舗側装置は、前記ネットワークに接続され通信を行う店舗側通信インタフェース部と、入金された貨幣を収納する貨幣回収金庫と、店舗の売上現金が入金された場合に入金金額を求めると共に前記貨幣回収金庫に収納する入金処理部と、前記入金処理部で求められた入金金額の情報及び当該店舗側装置を識別するための店舗識別子を収容する通信信号であるセンタ宛入金情報信号を前記店舗側通信インタフェース部を用いて前記センタ側装置に送信する店舗側送信処理部とを備え、前記センタ側装置は、前記ネットワークに接続され通信をそれぞれ行うセンタ側通信インタフェース部と、店舗識別子と入金金額の情報とを対応付けて登録する店舗側装置入金情報テーブルを記憶するセンタ側記憶部と、前記センタ側通信インタフェース部を介して前記店舗側装置から前記センタ宛入金情報信号を受信した場合に、前記受信したセンタ宛入金情報信号に収容されている店舗識別子と入金金額の情報とを前記店舗側装置入金情報テーブルに登録すると共に、前記受信したセンタ宛入金情報信号に収容されている店舗識別子と入金金額の情報とを収容する通信信号である現金集配宛入金情報信号及び金融機関宛入金情報信号を前記センタ側通信インタフェース部を用いて前記現金集配側装置及び前記金融機関側装置へそれぞれ送信する入金情報処理部とを備え、前記金融機関側装置は、前記ネットワークに接続され通信を行う金融機関側通信インタフェース部と、店舗識別子と該店舗識別子に対応する店舗側装置が設置される店舗の口座情報とを対応付けて登録する店舗側装置口座情報テーブルを記憶する金融機関側記憶部と、前記金融機関側通信インタフェース部を介して前記センタ側装置から前記金融機関宛入金情報信号を受信した場合に、前記受信した金融機関宛入金情報信号に収容されている店舗識別子に対応する口座を前記店舗側装置口座情報テーブルから検索し、検索した口座へ前記受信した金融機関宛入金情報信号に収容されている入金金額を振り替える振替処理部とを備え、前記現金集配側装置は、前記ネットワークに接続され通信を行う現金集配側通信インタフェース部と、店舗識別子と該店舗識別子に対応する店舗側装置における貨幣回収金庫に収納されている貨幣量とを対応付けて登録する店舗側装置別貨幣量テーブルを記憶する現金集配側記憶部と、前記現金集配側通信インタフェース部を介して前記センタ側装置から前記現金集配宛入金情報信号を受信した場合に、前記受信した現金集配宛入金情報信号に基づいて前記店舗側装置別貨幣量テーブルの登録内容を更新するテーブル処理部と、前記店舗側装置別貨幣量テーブルの登録内容を出力する現金集配側出力部とを備える。
【００１３】
そして、つり銭を用意することができ出金の管理ができるようにするために、上述の売上金回収・送金システムでは、前記店舗側装置において、前記入金された貨幣を一時的に保管する保管部と、つり銭の出金が要求された場合に前記保管部から前記要求されたつり銭額の出金を行う出金処理部とをさらに備え、前記貨幣回収金庫には、前記保管部からの前記出金後の貨幣が収納され、前記店舗側送信処理部は、さらに、出金処理部で出金された出金金額の情報及び当該店舗側装置の店舗識別子を収容する通信信号であるセンタ宛出金情報信号を前記店舗側通信インタフェース部を用いて前記センタ側装置に送信し、前記センタ側装置において、前記店舗側装置入金情報テーブルは、さらに出金金額の情報を店舗識別子と対応付けて登録する店舗側装置入出金情報テーブルであり、前記入金情報処理部は、前記センタ側通信インタフェース部を介して前記店舗側装置から前記センタ宛出金情報信号を受信した場合に、前記受信したセンタ宛出金情報信号に収容されている店舗識別子と出金金額の情報とを前記店舗側装置入出金情報テーブルに登録すると共に、前記受信したセンタ宛出金情報信号に収容されている店舗識別子と出金金額の情報とを収容する通信信号である現金集配宛出金情報信号及び金融機関宛出金情報信号を前記現金集配側装置及び前記金融機関側装置へそれぞれ送信する入出金情報処理部であり、前記金融機関側装置において、前記振替処理部は、さらに、前記金融機関側通信インタフェース部を介して前記センタ側装置から前記金融機関宛出金情報信号を受信した場合に、前記受信した金融機関宛出金情報信号に収容されている店舗識別子に対応する口座を前記店舗側装置口座情報テーブルから検索し、検索した口座へ前記受信した金融機関宛出金情報信号に収容されている出金金額を振り替え、前記現金集配側装置において、前記テーブル処理部は、前記現金集配側通信インタフェース部を介して前記センタ側装置から前記現金集配宛出金情報信号を受信した場合に、前記受信した現金集配宛出金情報信号に基づいて前記店舗側装置別貨幣量テーブルの登録内容を更新する。そして、つり銭の盗難等の被害に遭うことを防止するために、この上述の売上金回収・送金システムでは、前記店舗側装置において、前記つり銭の出金を行う時刻を指定するための出金時刻入力部をさらに備え、前記出金処理部は、前記指定された時刻に前記つり銭の出金を行うものである。
【００１４】
また、売上金の回収を管理することができるようにするために、この上述の売上金回収・送金システムでは、前記現金集配側装置において、店舗識別子と該店舗識別子に対応する店舗側装置から回収した回収金額とを入力する現金集配側入力部と、前記現金集配側入力部から入力された前記店舗識別子及び前記回収金額の情報を収容する通信信号であるセンタ宛回収情報信号を前記現金集配側通信インタフェース部を用いて前記センタ側装置に送信する現金集配側送信処理部とをさらに備え、前記テーブル処理部は、前記現金集配側入力部から前記店舗識別子と前記回収金額が入力された場合に、前記入力された前記店舗識別子と前記回収金額とに基づいて前記店舗側装置別貨幣量テーブルの登録内容を更新し、前記センタ側装置において、前記センタ側記憶部は、店舗識別子と回収金額の情報とを対応付けて登録する店舗側装置回収履歴情報テーブルを記憶し、前記センタ側通信インタフェース部を介して前記現金集配側装置から前記センタ宛回収情報信号を受信した場合に、前記受信したセンタ宛回収情報信号に収容されている店舗識別子と回収金額の情報とを前記店舗側装置回収履歴情報テーブルに登録すると共に、前記受信したセンタ宛回収情報信号に収容されている店舗識別子と回収金額の情報とを収容する通信信号である金融機関宛回収情報信号を前記センタ側通信インタフェース部を用いて前記金融機関側装置へ送信する回収履歴処理部をさらに備える。
【００１５】
さらに、権限の有る者のみが店舗側装置を取り扱い可能とするために、これら上述の売上金回収・送金システムでは、前記店舗側装置において、個人認証を行うと共に、当該店舗側装置を取り扱い可能な個人を認証した場合に売上現金の入金を許可する認証部をさらに備える。
【発明の効果】
【００１８】
このような構成の売上金回収・送金システムでは、店舗側装置は、入金された貨幣を収納する貨幣回収金庫を備え、入金処理部が店舗の売上現金が入金された場合に入金金額を求めると共に貨幣回収金庫に収納する。このため、店舗側装置は、所謂夜間金庫の役割を果たすことができる。
【００１９】
また、店舗側装置は、店舗側送信処理部が入金処理部で求められた入金金額の情報及び当該店舗側装置を識別するための店舗識別子を収容する通信信号であるセンタ宛入金情報信号を店舗側通信インタフェース部を用いてセンタ側装置に送信する。センタ側装置は、入金情報処理部が店舗側装置からこのセンタ宛入金情報信号を受信した場合に、このセンタ宛入金情報信号に収容されている店舗識別子と入金金額の情報とを収容する通信信号である現金集配宛入金情報信号及び金融機関宛入金情報信号をセンタ側通信インタフェース部を用いて現金集配側装置及び金融機関側装置へそれぞれ送信する。そして、金融機関側装置は、金融機関側記憶部が店舗識別子と該店舗識別子に対応する店舗側装置が設置される店舗の口座情報とを対応付けて登録する店舗側装置口座情報テーブルを記憶し、振替処理部がセンタ側装置から金融機関宛入金情報信号を受信した場合に、この金融機関宛入金情報信号に収容されている店舗識別子に対応する口座を店舗側装置口座情報テーブルから検索し、検索した口座へこの金融機関宛入金情報信号に収容されている入金金額を振り替える。このため、金融機関が立替払いをするので、タイムラグが解消され、そして、売上金額が大きくても取り扱い可能である。
【００２０】
さらに、現金集配側装置は、現金集配側記憶部が店舗識別子と該店舗識別子に対応する店舗側装置における貨幣回収金庫に収納されている貨幣量とを対応付けて登録する店舗側装置別貨幣量テーブルを記憶し、テーブル処理部がセンタ側装置から現金集配宛入金情報信号を受信した場合に、この現金集配宛入金情報信号に基づいて店舗側装置別貨幣量テーブルの登録内容を更新して、現金集配側出力部が店舗側装置別貨幣量テーブルの登録内容を出力する。
【００２１】
このように本発明に係る売上金回収・送金システムでは、業務内容に応じた店舗側装置、現金集配側装置、金融機関側装置及びセンタ側装置の４個の装置から構成されるので、必ずしも一企業が複数のサービスを行う必要がなく、売上金やつり銭を集配する現金集配サービス、売上金やつり銭の決済を行う金融サービス、及び、売上金やつり銭のデータを管理するセンタサービスの何れか１つのサービスを一企業がこれに対応する装置を配置するだけで行うことができる。このため、様々な企業が売上金回収・送金システムに参入可能であり、競争優位な企業によってサービスが提供されるから、売上金回収・送金システムの利用料金を低廉にすることができる。
【発明を実施するための最良の形態】
【００２２】
以下、本発明に係る実施形態を図面に基づいて説明する。なお、各図において同一の符号を付した構成は、同一の構成であることを示し、その説明を省略する。
（実施形態の構成）
図１は、売上金回収・送金システムの構成を示す図である。図２は、店舗側装置の構成を示すブロック図である。図３は、入出金履歴情報テーブルを示す図である。図４は、センタ側装置の構成を示すブロック図である。図５は、店舗側装置入出金情報テーブル及びセンタ側店舗情報テーブルを示す図である。図５（Ａ）は、店舗側装置入出金情報テーブルを示し、図５（Ｂ）は、センタ側店舗情報テーブルを示し、図５（Ｃ）は、店舗側装置回収履歴情報テーブルを示す。図６は、現金集配側装置の構成を示すブロック図である。図７は、店舗側装置別貨幣量情報テーブル及び現金集配側店舗情報テーブルを示す図である。図７（Ａ）は、店舗側装置別貨幣量情報テーブルを示し、図７（Ｂ）は、現金集配側店舗情報テーブルを示す。図８は、金融機関側装置の構成を示すブロック図である。図９は、店舗側装置口座情報テーブルの構成を示す図である。
【００２３】
図１において、売上金回収・送金システム１は、店舗の売上金を回収し、店舗のつり銭を用意するシステムであり、店舗に配置される店舗側装置１１と、売上金回収・送金システムに係る情報を集中管理する情報収集管理センタに配置されるセンタ側装置１２と、現金輸送車によって店舗の売上の現金を回収しそして回収した現金を現金輸送車によって金融機関に回送する現金集配機関に配置される現金集配側装置１３と、情報収集管理センタから通知される入出金額に従って店舗の口座へ振替え送金を行う金融機関に配置される金融機関側装置１４とを備えて構成される。これら店舗側装置１１、センタ側装置１２、現金集配側装置１３及び金融機関側装置１４は、相互に通信可能となるようにネットワーク１５によって接続されている。ネットワーク１５は、例えば、電話網、ディジタル通信網及び無線通信網等の伝送路であり、所定の通信プロトコルを用いてデータが伝送される。ネットワーク１５は、例えば、通信プロトコルにＨＴＴＰ（Hyper Text Transfer Protocol）、ＦＴＰ（File Transfer Protocol）及びＴＣＰ／ＩＰ（Transmission Control Protocol/Internet Protocol）等のいわゆるインターネットプロトコル群が用いられてインターネットを構成する。また、センタ側装置１２とこれら店舗側装置１１、現金集配側装置１３及び金融機関側装置１４との間では、後述するように金銭に関する情報が通信されるので、セキュアーな通信を確保する観点から、ＶＰＮ（Virtual Private Network；仮想プライベートネットワーク）によって接続してもよい。
【００２４】
まず、店舗側装置１１の構成について説明する。店舗側装置１１は、店舗の売上金の入金、つり銭の出金及び現金の保管を行うと共に、入金金額及び出金金額を情報収集管理センタのセンタ側装置１２に送信する装置であり、例えば、図２に示すように、入金処理部１０１と、貨幣回収金庫１０２と、出金処理部１０３と、印刷部１０４と、表示／入力部１０５と、店舗側制御部１０６と、店舗側通信インタフェース部１０７と、店舗側記憶部１０８と、認証部１０９とを備えて構成される。
【００２５】
入金処理部１０１は、投入されて入金された現金の入金金額を求めると共に貨幣回収金庫１０２に収納する。入金金額は、金種別にその枚数を計数し、金種が示す額にその枚数を乗じることによって当該金種の小計額を求め、各金種の小計額を全て合計することによって求められる。金種は、１円硬貨、１０円硬貨、１００円硬貨、５円硬貨、５０円硬貨、５００円硬貨、１０００円紙幣、２０００円紙幣、５０００円紙幣及び１００００円紙幣がある。貨幣回収金庫１０２は、貨幣を収納し保管する金庫である。出金処理部１０３は、つり銭の出金が要求された場合に貨幣回収金庫１０２からつり銭額の出金を行う。
【００２６】
印刷部１０４は、ロール紙等の用紙に入出金に係るデータを印字する。表示／入力部１０５は、つり銭の出金額等のデータやコマンドを店舗側装置１１に入力する入力部１１１と、入力されたデータやコマンド及び店舗側装置１１の処理状況等を表示する表示部１１２とを備えて構成され、例えば、ＣＲＴやＬＣＤ等の表示装置の表示面にタッチパネルを貼付することによって構成される。そして、入力部１１１は、表示部１１２に表示された金額で店舗側装置１１に入金金額を確定入力する「入金」ボタン１２１と、表示部１１２に表示された金額で店舗側装置１１につり銭金額を確定入力する「つり銭用意」ボタン１２２と、表示部１１２に表示された時刻で店舗側装置１１に出金時刻を確定入力する「出金時刻」ボタン１２３と、数値を入力する「テンキー」ボタン１２４と金種を入力する「金種」ボタン１２５とを備えて構成される。なお、本実施形態では、入力部１１１と表示部１１２とを一体に構成したが、スイッチから構成される入力部１１１と表示部１１２とで別体に構成してもよい。
【００２７】
店舗側制御部１０６は、例えば、マイクロプロセッサ等を備えて構成され、プログラムに従って、入金処理部１０１、出金処理部１０３、印刷部１０４、表示／入力部１０５、店舗側通信インタフェース部１０７、店舗側記憶部１０８及び認証部１０９を制御する。そして、店舗側制御部１０６は、機能的に、入金処理部１０１で求められた入金金額の情報及び当該店舗側装置１１を識別するための店舗識別子を収容する通信信号であるセンタ宛入金情報信号、及び、出金処理部１０３で出金された出金金額の情報及び当該店舗側装置１１の店舗識別子を収容する通信信号であるセンタ宛出金情報信号を店舗側通信インタフェース部２３を用いてネットワーク１５を介して対向するセンタ側装置１２に送信する店舗側送信処理部１３１と、暦を数え年月日を出力するカレンダ部１３２と時を刻み時刻を出力する時計部１３３とを備える。
【００２８】
店舗側通信インタフェース部１０７は、ネットワーク１５を介して対向する装置との間で通信信号の送受信を行うインターフェース回路である。店舗側記憶部１０８は、例えばＲＯＭ（Read Only Memory）やＥＥＰＲＯＭ（Electrically Erasable Programmable Read Only Memory）等の不揮発性の記憶素子、及び、例えばＲＡＭ（Random Access Memory）等の揮発性の記憶素子等を備えて構成される。この不揮発性の記憶素子には、本店舗側装置１１を動作させるための各種のプログラム、及び、各種のプログラムを実行する際に必要な情報等を記憶する。この揮発性の記憶素子は、店舗側制御部１０６が実行する各種のプログラムを不揮発性の記憶素子から読み込むと共に、これら各種のプログラムの実行中における各データを一時的に記憶するいわゆるワーキングメモリとなる。そして、店舗側記憶部１０８は、入出金履歴情報テーブルを記憶する入出金履歴情報テーブル記憶部１４１を備える。
【００２９】
入出金履歴情報テーブルは、店舗側装置１１に入金された現金に係る入金履歴情報及び店舗側装置１１から出金された現金に係る出金履歴情報を登録するテーブルであり、例えば、図３に示すように、入出金履歴情報テーブル１５０の各レコードを表すための管理番号を登録する番号フィールド１５１、入金又は出金があった年月日を登録する年月日フィールド１５２、入金又は出金があった時刻を登録する時刻フィールド１５３、入金金額を登録する入金金額フィールド１５４及び出金金額を登録する出金金額フィールド１５５の各フィールドを備えて構成され、入金及び出金があるごとにレコードが作成される。そして、入金金額フィールド１５４は、さらに、入金された１円硬貨の枚数を登録する１円フィールド１５４１、入金された１０円硬貨の枚数を登録する１０円フィールド１５４２、入金された１００円硬貨の枚数を登録する１００円フィールド１５４３、入金された５円硬貨の枚数を登録する５円フィールド１５４４、入金された５０円硬貨の枚数を登録する５０円フィールド１５４５、入金された５００円硬貨の枚数を登録する５００円フィールド１５４６、１０００円紙幣の枚数を登録する１０００円フィールド１５４７、２０００円紙幣の枚数を登録する２０００円フィールド１５４８、５０００円紙幣の枚数を登録する５０００円フィールド１５４９、１００００円紙幣の枚数を登録する１００００円フィールド１５５０、当該レコードにおける各種硬貨及び各種紙幣の合計金額（入金金額）を登録する合計金額フィールド１５５１の各サブフィールドを備えて構成される。また、図３には、不図示であるが、出金金額フィールド１５５も入金金額フィールド１５４と同様のサブフィールドを備えて構成される。この図３に示す例では、入金情報は、入金に係る、年月日の情報、時刻の情報及び入金金額の情報を備えて構成され、そして、出金情報は、出金に係る、年月日の情報、時刻の情報及び出金金額の情報を備えて構成される。
【００３０】
このように店舗側装置１１において、入金処理部１０１は、入金された売上現金に対し金種の識別を行うと共に識別した金種ごとに計数を行って入金金額を求め、出金処理部１０３は、出金したつり銭に対し金種の識別を行うと共に識別した金種ごとに計数を行って出金金額を求め、これらの情報を入出金履歴情報テーブル１５０に登録し、入出金履歴情報テーブル記憶部に記憶する。このため、店舗側装置１１に入出金の履歴情報を残すことができ、いつでも履歴情報を参照することができる。
【００３１】
認証部１０９は、当該店舗側装置１１を取り扱う正当な権限を有する者であるか否かを判別する回路であり、正当な権限を有する者であると認証するとその旨を店舗側制御部１０６に通知する。店舗側制御部１０６は、認証部１０９から正当な権限を有する者である旨が通知されると、入金処理部１０１に入金された貨幣を貨幣回収金庫１０２に収納し、出金処理部１０３によって出金を行い、また、入力部１１１から入力を受付ける。
【００３２】
認証部１０９は、例えば、ＩＤカードから認証情報を読み取り、読み取った読取認証情報と予め記憶されている登録認証情報とが一致する場合に、正当な権限を有する者であると認証を行うカードリーダである。また例えば、認証部１０９は、人間の生体情報を読み取り、読み取った読取生体情報と予め記憶されている登録生体情報とが一致する場合に、正当な権限を有する者であると認証を行う生体情報認証装置である。網膜認証装置は、生体情報として人間の網膜を利用し、指紋認証装置は、生体情報として人間の指紋を利用し、そして、血流認証装置は、生体情報として人間の手指の血流パターンを利用する。生体情報認証装置は、生体に固有な情報によって認証を行うので、ＩＤカードの盗用によるなりすましを防止することができ、また、ＩＤカードのように認証情報を登録した部材を紛失する虞もない。このような認証部１０９は、例えば、認証情報を読み取る読取部と、予め登録認証情報を記憶する認証情報記憶部と、読取認証情報と登録認証情報とを照合する照合部とを備えて構成される。
【００３３】
次にセンタ装置１２の構成について説明する。センタ側装置１２は、店舗側装置１１からセンタ宛入金情報信号を受信した場合にこの受信したセンタ宛入金情報信号に収容されている情報に基づいて店舗側装置１１の入金情報の記録、入金情報の現金集配側装置１３への通知及び入金情報の金融機関側装置１４への通知を行い、店舗側装置１１からセンタ宛出金情報信号を受信した場合にこの受信したセンタ宛出金情報信号に収容されている情報に基づいて店舗側装置１１の出金情報の記録、出金情報の現金集配側装置１３への通知及び出金情報の金融機関側装置１４への通知を行い、そして、現金集配側装置１３から店舗識別子及び回収金額情報を収容する通信信号であるセンタ宛回収情報信号を受信した場合にこの受信したセンタ宛回収情報信号に収容されている情報に基づいて店舗側装置１１の回収情報の記録及び回収情報の金融機関側装置１４への通知を行う通信可能なコンピュータであり、例えば、図４に示すように、センタ側演算処理部２０１と、センタ側通信インタフェース部２０２と、センタ側入力部２０３と、センタ側出力部２０４と、センタ側内部記憶部２０５と、センタ側補助記憶部２０７とを備えて構成される。
【００３４】
センタ側通信インタフェース部２０２は、店舗側通信インタフェース部１０７と同様に、ネットワーク１５を介して対向する装置との間で通信信号の送受信を行うインターフェース回路である。後述の現金集配側通信インタフェース部３０２及び金融機関側通信インタフェース部４０２も同様である。センタ側入力部２０３は、本センタ側装置１２の起動指示等の各種コマンドや各種データをセンタ側装置１２に入力する機器であり、例えば、キーボードやポインティングデバイス（例えばマウス）等である。後述の現金集配側入力部３０３及び金融機関側入力部４０３も同様である。センタ側出力部２０４は、センタ側入力部２０３から入力されたコマンド、データ等を出力する機器であり、例えばＣＲＴディスプレイ、ＬＣＤ、有機ＥＬディスプレイ及びプラズマディスプレイ等の表示装置やプリンタである。後述の現金集配側出力部３０４及び金融機関側出力部４０４も同様である。センタ側内部記憶部２０５は、センタ側演算処理部２０１が実行するプログラムをセンタ側補助記憶部２０７から読み込むと共に、プログラム実行中の各データを一時的に記憶する所謂ワーキングメモリであり、例えばＲＡＭである。後述の現金集配側内部記憶部３０５及び金融機関側内部記憶部４０５も同様である。
【００３５】
センタ側補助記憶部２０７は、例えばＲＯＭやＥＥＰＲＯＭ等の不揮発性の記憶素子及びハードディスク等の情報を記憶する装置であり、店舗側装置入出金情報テーブルを記憶する店舗側装置入出金情報テーブル記憶部２２１、センタ側店舗情報テーブルを記憶するセンタ側店舗情報テーブル記憶部２２２、及び、店舗側装置回収履歴情報テーブルを記憶する店舗側装置回収履歴情報テーブル記憶部２２３を備える他、センタ側装置１２を動作させるための制御プログラム等の各プログラム（不図示）、及び、各プログラムの実行中及び実行後のデータ（不図示）等を記憶する。
【００３６】
店舗側装置入出金情報テーブルは、各店舗側装置１１における入出金状況を登録するテーブルであり、例えば、図５（Ａ）に示すように、店舗側装置入出金情報テーブル２５０の各レコードを表すための管理番号を登録する番号フィールド２５１、店舗識別子を登録する店舗識別子フィールド２５２、入金又は出金があった年月日を登録する年月日フィールド２５３、入金又は出金があった時刻を登録する時刻フィールド２５４、入金金額を登録する入金金額フィールド２５５及び出金金額を登録する出金金額フィールド２５６の各フィールドを備えて構成され、センタ宛入金情報信号及びセンタ宛出金情報信号に収容される入金情報及び出金情報ごとにレコードが作成される。
【００３７】
ここで、センタ宛入金情報信号を受信した場合には、新たな管理番号が番号フィールド２５１に登録されて新たなレコードが作成され、当該センタ宛入金情報信号に収容されていた店舗識別子、年月日、時刻及び入金金額が店舗識別子フィールド２５２、年月日フィールド２５３、時刻フィールド２５４及び入金金額フィールド２５５にそれぞれ登録され、出金金額フィールド２５６には、何も登録されない。一方、センタ宛出金情報信号を受信した場合には、新たな管理番号が番号フィールド２５１に登録されて新たなレコードが作成され、当該センタ宛出金情報信号に収容されていた店舗識別子、年月日、時刻及び出金金額が店舗識別子フィールド２５２、年月日フィールド２５３、時刻フィールド２５４及び出金金額フィールド２５６にそれぞれ登録され、入金金額フィールド２５５には、何も登録されない。
【００３８】
例えば、図５（Ａ）に示す管理番号「１」のレコードは、センタ宛入金情報信号を受信された際に作成されたレコードであり、店舗識別子フィールド２５２には店舗識別子として「ＸＸ＿ＹＹ＿ＺＺ」が登録され、年月日フィールド２５３には「２００４．３．２４」が登録され、時刻フィールド２５４には「２１：３７：００」が登録され、入金金額フィールド２５５には入金金額として「○○○」が登録され、そして、出金金額フィールド２５６には何も登録されていない。また、管理番号「２」のレコードは、センタ宛出金情報信号を受信された際に作成されたレコードであり、店舗識別子フィールド２５２には店舗識別子として「ＸＸ＿ＹＹ＿ＺＺ」が登録され、年月日フィールド２５３には「２００４．３．２４」が登録され、時刻フィールド２５４には「２１：４５：２７」が登録され、出金金額フィールド２５６には出金金額として「×××」が登録され、そして、入金金額フィールド２５５には何も登録されていない。
【００３９】
センタ側店舗情報テーブルは、情報収集管理センタで把握している店舗に関する情報を登録するテーブルであり、例えば、図５（Ｂ）に示すように、センタ側店舗情報テーブル２６０の各レコードを表すための管理番号を登録する番号フィールド２６１、店舗識別子を登録する店舗識別子フィールド２６２、店舗側装置１１が設置された設置年月日を登録する設置年月日フィールド２６３、店舗側装置１１が設置されている所在を表す住所を登録する住所フィールド２６４、店舗側装置１１を取り扱う者と連絡をとる場合の連絡先電話番号を登録する連絡先フィールド２６５、店舗側装置１１の取り扱い責任者を登録する責任者フィールド２６６、店舗側装置１１に売上金の現金が入金された場合に入金金額を振り込み、また、店舗側装置１１からつり銭が出金された場合に出金金額を引き落とす口座を開いている金融機関に名称を登録する金融機関名フィールド２６７及びこのような講座の口座番号を登録する口座番号フィールド２６８の各フィールドを備えて構成され、情報収集管理センタで把握している店舗ごとにレコードが作成される。
【００４０】
店舗側装置回収履歴情報テーブルは、各店舗側装置１１における回収の履歴情報を登録するテーブルであり、例えば、図５（Ｃ）に示すように、店舗側装置回収履歴情報テーブル２７０の各レコードを表すための管理番号を登録する番号フィールド２７１、店舗識別子を登録する店舗識別子フィールド２７２、現金の回収があった年月日を登録する年月日フィールド２７３、現金の回収があった時刻を登録する時刻フィールド２７４、及び、回収した回収金額を登録する回収金額フィールド２７５を備えて構成され、センタ宛回収情報信号に収容される回収情報ごとにレコードが作成される。
【００４１】
図４に戻って、センタ側演算処理部２０１は、例えば、マイクロプロセッサ等で構成され、機能的に、入出金情報処理部２１１と回収履歴処理部２１２とを備えると共に、プログラムに従いセンタ側通信インタフェース部２０２、センタ側入力部２０３、センタ側出力部２０４、センタ側内部記憶部２０５及びセンタ側補助記憶部２０７を制御する。
【００４２】
入出金情報処理部２１１は、センタ側通信インタフェース部２０２を介して店舗側装置１１からセンタ宛入金情報信号を受信した場合に、このセンタ宛入金情報信号に収容されている店舗識別子と入金金額の情報とを店舗側装置入出金情報テーブル２５０に登録すると共に、このセンタ宛入金情報信号に収容されている店舗識別子と入金金額の情報とを収容する通信信号である現金集配宛入金情報信号及び金融機関宛入金情報信号をセンタ側通信インタフェース部２０２を用いて現金集配側装置１３及び金融機関側装置１４へそれぞれ送信する入金情報処理部と、センタ側通信インタフェース部２０２を介して店舗側装置１１からセンタ宛出金情報信号を受信した場合に、このセンタ宛出金情報信号に収容されている店舗識別子と出金金額の情報とを店舗側装置入出金情報テーブル２５０に登録すると共に、このセンタ宛出金情報信号に収容されている店舗識別子と出金金額の情報とを収容する通信信号である現金集配宛出金情報信号及び金融機関宛出金情報信号を現金集配側装置１３及び金融機関側装置１４へそれぞれ送信する出金情報処理部とから成る。
【００４３】
回収履歴処理部２１２は、センタ側通信インタフェース部２０２を介して現金集配側装置１３からセンタ宛回収情報信号を受信した場合に、このセンタ宛回収情報信号に収容されている店舗識別子と回収金額の情報とを店舗側装置回収履歴情報テーブル２７０に登録すると共に、このセンタ宛回収情報信号に収容されている店舗識別子と回収金額の情報とを収容する通信信号である金融機関宛回収情報信号をセンタ側通信インタフェース部２０２を用いて金融機関側装置１４へ送信する。
【００４４】
そして、これらセンタ側演算処理部２０１、センタ側通信インタフェース部２０２、センタ側入力部２０３、センタ側出力部２０４、センタ側内部記憶部２０５及びセンタ側補助記憶部２０７は、データを相互に交換することができるようにバス２０８にそれぞれ接続される。
【００４５】
次に現金集配側装置１３の構成について説明する。現金集配側装置１３は、センタ側装置１２から送信される現金集配宛入金情報信号及び現金集配宛出金情報信号並びに当該現金集配側装置１３に直接的に入力される回収情報に基づいて、店舗側装置１１に保管されている貨幣量を管理する通信可能なコンピュータであり、例えば、図６に示すように、現金集配側演算処理部３０１と、現金集配側通信インタフェース部３０２と、現金集配側入力部３０３と、現金集配側出力部３０４と、現金集配側内部記憶部３０５と、現金集配側補助記憶部３０７とを備えて構成される。
【００４６】
現金集配側補助記憶部３０７は、例えばＲＯＭやＥＥＰＲＯＭ等の不揮発性の記憶素子及びハードディスク等の情報を記憶する装置であり、店舗側装置別貨幣量情報テーブルを記憶する店舗側装置別貨幣量情報テーブル記憶部３２１、及び、現金集配側店舗情報テーブルを記憶する現金集配側店舗情報テーブル記憶部３２２を備える他、現金集配側装置１３を動作させるための制御プログラム等の各プログラム（不図示）、及び、各プログラムの実行中及び実行後のデータ（不図示）等を記憶する。
【００４７】
店舗側装置別貨幣量情報テーブルは、各店舗側装置１１における貨幣量を登録するテーブルであり、例えば、図７（Ａ）に示すように、店舗側装置別貨幣量情報テーブル３５０の各レコードを表すための管理番号を登録する番号フィールド３５１、店舗識別子を登録する店舗識別子フィールド３５２、入金、出金又は回収があった年月日を登録する年月日フィールド３５３、入金、出金又は回収があった時刻を登録する時刻フィールド３５４、入金金額を登録する入金金額フィールド３５５、出金金額を登録する出金金額フィールド３５６、回収金額を登録する回収金額フィールド３５７及び現在の貨幣量を登録する貨幣量フィールド３５８の各フィールドを備えて構成され、現金集配宛入金情報信号及び現金集配宛出金情報信号に収容される入金情報及び出金情報並びに回収情報ごとにレコードが作成される。
【００４８】
ここで、現金集配宛入金情報信号が受信された場合には、店舗識別子フィールド３５２、年月日フィールド３５３、時刻フィールド３５４、入金金額フィールド３５５及び貨幣量フィールド３５８の各フィールドに情報の登録処理が為される。貨幣量フィールド３５８には、同一の店舗識別子が登録されているレコードにおいて、直近の貨幣量フィールド３５８に登録されている貨幣量に入金金額が加算されて登録処理が為される。現金集配宛出金情報信号が受信された場合には、店舗識別子フィールド３５２、年月日フィールド３５３、時刻フィールド３５４、出金金額フィールド３５６及び貨幣量フィールド３５８の各フィールドに情報の登録処理が為される。貨幣量フィールド３５８には、同一の店舗識別子が登録されているレコードにおいて、直近の貨幣量フィールド３５８に登録されている貨幣量に出金金額が減算されて登録処理が為される。回収情報が入力された場合には、店舗識別子フィールド３５２、年月日フィールド３５３、時刻フィールド３５４、回収金額フィールド３５７及び貨幣量フィールド３５８の各フィールドに情報の登録処理が為される。貨幣量フィールド３５８には、入力された値が登録されて登録処理が為される。
【００４９】
現金集配側店舗情報テーブルは、現金集配機関で把握している店舗に関する情報を登録するテーブルであり、例えば、図７（Ｂ）に示すように、現金集配側店舗情報テーブル３６０の各レコードを表すための管理番号を登録する番号フィールド３６１、店舗識別子を登録する店舗識別子フィールド３６２、店舗側装置１１が設置された設置年月日を登録する設置年月日フィールド３６３、店舗側装置１１が設置されている所在を表す住所を登録する住所フィールド３６４、店舗側装置１１を取り扱う者と連絡をとる場合の連絡先電話番号を登録する連絡先フィールド３６５、及び、店舗側装置１１の取り扱い責任者を登録する責任者フィールド３６６を備えて構成され、現金集配企業が現金の集配を行うべき店舗ごとにレコードが作成される。
【００５０】
図６に戻って、現金集配側演算処理部３０１は、例えば、マイクロプロセッサ等で構成され、機能的に、テーブル処理部３１１と現金集配側送信処理部３１２とを備えると共に、プログラムに従い現金集配側通信インタフェース部３０２、現金集配側入力部３０３、現金集配側出力部３０４、現金集配側内部記憶部３０５及び現金集配側補助記憶部３０７を制御する。
【００５１】
テーブル処理部３１１は、現金集配側通信インタフェース部３０２を介してセンタ側装置１２から現金集配宛入金情報信号を受信した場合に、この現金集配宛入金情報信号に基づいて店舗側装置別貨幣量情報テーブル３５０の登録内容を更新する共に、センタ側装置１２から現金集配宛出金情報信号を受信した場合に、この現金集配宛出金情報信号に基づいて店舗側装置別貨幣量テーブル３５０の登録内容を更新する。さらに、テーブル処理部３１１は、現金集配側入力部３０３より、現金を回収した店舗側装置１１の店舗識別子、年月日、時刻及び回収金額が入力された場合に、これら情報に基づいて店舗側装置別貨幣量情報テーブル３５０の登録内容を更新する。
【００５２】
現金集配側送信処理部３１２は、現金集配側入力部３０３から入力された、現金を回収した店舗側装置１１の店舗識別子、年月日、時刻及び回収金額の情報を収容する通信信号であるセンタ宛回収情報信号を現金集配側通信インタフェース部３０２を用いてセンタ側装置１２に送信する。
【００５３】
そして、これら現金集配側演算処理部３０１、現金集配側通信インタフェース部３０２、現金集配側入力部３０３、現金集配側出力部３０４、現金集配側内部記憶部３０５及び現金集配側補助記憶部３０７は、データを相互に交換することができるようにバス３０８にそれぞれ接続される。
【００５４】
次に金融機関側装置の構成について説明する。金融機関側装置１４は、センタ側装置１２から送信される金融機関宛入金情報信号及び金融機関宛出金情報信号に基づいて店舗の口座に対し立替えで振り替え処理を行うと共にセンタ側装置１２から金融機関宛回収情報信号を受信する通信可能なコンピュータであり、例えば、図８に示すように、金融機関側演算処理部４０１と、金融機関側通信インタフェース部４０２と、金融機関側入力部４０３と、金融機関側出力部４０４と、金融機関側内部記憶部４０５と、金融機関側補助記憶部４０７とを備えて構成される。
【００５５】
金融機関側補助記憶部４０７は、例えばＲＯＭやＥＥＰＲＯＭ等の不揮発性の記憶素子及びハードディスク等の情報を記憶する装置であり、店舗側装置講座情報テーブルを記憶する店舗側装置口座情報テーブル記憶部４２１を備える他、金融機関側装置１４を動作させるための制御プログラム等の各プログラム（不図示）、及び、各プログラムの実行中及び実行後のデータ（不図示）等を記憶する。
【００５６】
店舗側装置口座情報テーブルは、各店舗側装置１１に入金された入金金額を立替えで振り込み、そして、出金された出金金額を引き落とす当該店舗側装置１１に係る金融機関の口座に関する各種情報を登録するテーブルであり、例えば、図９に示すように、店舗側装置口座情報テーブル４５０の各レコードを表すための管理番号を登録する番号フィールド４５１、店舗識別子を登録する店舗識別子フィールド４５２、口座の取扱いを開始した年月日を登録する取扱開始年月日フィールド４５３、口座の名義人の住所を登録する住所フィールド４５４、口座の名義人の連絡先電話番号を登録する連絡先フィールド４５５、口座の名義を登録する名義フィールド４５６及び口座を開設している金融機関名を登録する金融機関名フィールド４５７及び口座番号を登録する口座番号フィールド４５８の各フィールドを備えて構成され、口座番号ごとにレコードが作成される。金融機関の口座は、当該金融機関側装置１４が設置される金融機関に開設される口座でもよく、また、他の金融機関に開設される口座でもよい。このため、店舗側装置１１を設置する店舗は、任意の金融機関の口座を利用することができ、店舗の取引金融機関１７（図１）の口座を利用可能である。金融機関は、例えば、都市銀行、地方銀行、信託銀行、信用金庫、信用組合、商工組合中央金庫、農林中央金庫、証券会社及び郵便局等である。
【００５７】
図８に戻って、金融機関側演算処理部４０１は、例えば、マイクロプロセッサ等で構成され、機能的に、振替処理部４１１を備えると共に、プログラムに従い金融機関側通信インタフェース部４０２、金融機関側入力部４０３、金融機関側出力部４０４、金融機関側内部記憶部４０５及び金融機関側補助記憶部４０７を制御する。振替処理部４１１は、金融機関側通信インタフェース部４０２を介してセンタ側装置１２から金融機関宛入金情報信号を受信した場合に、この金融機関宛入金情報信号に収容されている店舗識別子に対応する口座を店舗側装置口座情報テーブル４５０から検索し、検索した口座へこの金融機関宛入金情報信号に収容されている入金金額を振り替えると共に、センタ側装置１２から金融機関宛出金情報信号を受信した場合に、この金融機関宛出金情報信号に収容されている店舗識別子に対応する口座を店舗側装置口座情報テーブル４５０から検索し、検索した口座へこの金融機関宛出金情報信号に収容されている出金金額を振り替える。
【００５８】
そして、これら金融機関側演算処理部４０１、金融機関側通信インタフェース部４０２、金融機関側入力部４０３、金融機関側出力部４０４、金融機関側内部記憶部４０５及び金融機関側補助記憶部４０７は、データを相互に交換することができるようにバス４０８にそれぞれ接続される。
【００５９】
なお、これらセンタ側装置１２、現金集配側装置１３及び金融機関側装置１４は、図４、図６及び図８に破線で示すように、必要に応じて、センタ側外部記憶部２０６、現金集配側外部記憶装置３０６及び金融機関側外部記憶装置４０６をそれぞれ備えてもよい。これら外部記憶部２０６、３０６、４０６は、例えば、フレキシブルディスク、ＣＤ−ＲＯＭ（Compact Disc Read Only Memory）、ＣＤ−Ｒ（Compact Disc Recordable）及びＤＶＤ−Ｒ（Digital Versatile Disc ReWritable）等の記憶媒体との間でデータを読み込み及び／又は書き込みを行う装置であり、例えば、フレキシブルディスクドライブ、ＣＤ−ＲＯＭドライブ、ＣＤ−Ｒドライブ及びＤＶＤ−Ｒドライブ等である。そして、各装置１２、１３、１４に各プログラムが格納されていない場合には、これらを記録した記録媒体から各外部記憶部２０６、３０６、４０６を介して各補助記憶部２０７、３０７、４０７にそれぞれインストールされるように構成してもよい。また、これらプログラムを管理するサーバコンピュータ（不図示）からネットワーク１５及び各通信インタフェース部２０２、３０２、４０２を介して各プログラムがそれぞれダウンロードされるように構成してもよい。
【００６０】
次に、本実施形態の動作について説明する。
（実施形態の動作）
図１０は、入出金の場合における売上金回収・送金システムの動作を示すシーケンス図である。図１１は、現金の回収の場合における売上金回収・送金システムの動作を示すシーケンス図である。
【００６１】
まず、入出金の場合について説明する。図１０において、その日の営業の終了後に店舗の売上金を取り扱い翌日のつり銭を扱う店舗の責任者が認証部１０９から認証情報の入力を行って店舗側装置１１に入金すると、認証部１０９は、認証を行い、店舗側装置１１の入金処理部１０１は、貨幣（紙幣及び硬貨）を金種ごとに選別し、その枚数を計数する。認証部１０９によって認証され、入金処理部１０１は、入金された貨幣に対し金種の選別及びその金種ごとの個数の計数が終了すると、その結果を店舗側制御部１０６に通知すると共に、入金された貨幣を貨幣回収金庫１０２に格納する。そして、店舗側装置１１の店舗側制御部１０６は、責任者に「入金」ボタン１２１を操作するように促す提示を行う。この提示は、例えば、「入金」ボタン１２１の表示を変化させたり、音声ガイダンスを流したりすること等によって行われる。「入金」ボタン１２１における表示の変化は、例えば、表示を点滅させたり、表示色を変えたりすること等である。
【００６２】
責任者が「入金」ボタン１２１を操作すると（Ｃ１１）、店舗側装置１１の店舗側制御部１０６における店舗側送信処理部１３１は、本日の暦をカレンダ部１３２より取得してこの取得した年月日を入金年月日とすると共に、現在時刻を時計部１３３より取得してこの取得した現在時刻を入金時刻とする。店舗側送信処理部１３１は、店舗側装置１１の店舗識別子と入金年月日の情報と入金時刻の情報と入金金額の情報とを収容した通信信号（センタ宛入金情報信号）をネットワーク１５を介してセンタ側装置１２に送信する（Ｃ１２）。そして、店舗側送信処理部１３１は、新たな管理番号を登録して入出金履歴情報テーブル１５１に、年月日、時刻及び入金金額の情報を登録する。ここで、この責任者が「入金」ボタン１２１を操作することによって、入金された貨幣の所有権が店舗側装置１１の所有者に移転する。このため、店舗側装置１１内の貨幣が盗難等の被害にあったとしても、店舗側は、損害を蒙ることがない。このため、店舗側装置１１は、店舗にとって所謂夜間金庫の役割を果たす。
【００６３】
センタ側装置１２は、センタ宛入金情報信号を店舗側装置１１から受信すると、入金処理を行う（Ｃ１３）。即ち、センタ側装置１２のセンタ側演算処理部２０１における入出金情報処理部２１１は、この受信したセンタ宛入金情報信号に収容されている店舗識別子、年月日の情報、入金時刻の情報及び入金金額の情報を店舗側装置出入金情報テーブル２５０に登録する。そして、入出金情報処理部２１１は、この受信したセンタ宛入金情報信号の店舗識別子、年月日の情報、入金時刻の情報及び入金金額の情報を収容した現金集配宛入金情報信号及び金融機関宛入金情報信号を現金集配側装置１３及び金融機関側装置１４へ送信する（Ｃ１４、Ｃ１５）。このように各店舗に配置された各店舗側装置１１における入金情報がセンタ側装置１２で集中的に管理され、センタ側装置１２から入金情報が現金集配側装置１３及び金融機関側装置１４へ通知される。
【００６４】
現金集配側装置１３は、現金集配宛入金情報信号をセンタ側装置１２から受信すると、貨幣量更新処理を行う（Ｃ１６）。即ち、現金集配側装置１３の現金集配側演算処理部３０１におけるテーブル処理部３１１は、この受信した現金集配宛入金情報信号に収容されている店舗識別子、年月日の情報、入金時刻の情報及び入金金額の情報を店舗側装置別貨幣量情報テーブル３５０に登録する。このように各店舗に配置された各店舗側装置１１における入金情報がセンタ側装置１２を介して現金集配側装置１３に送信されるので、店舗側装置１１に入金があるとその入金の事実を把握することができ、店舗側装置１１の現在の貨幣量を把握することができる。そして、現金集配側出力部３０４に出力させることで、店舗側装置１１の現在の貨幣量を認識することができ、的確な時期に貨幣の回収を行うことができる。
【００６５】
金融機関側装置１４は、金融機関宛入金情報信号をセンタ側装置１２から受信すると、入金振替処理を行う（Ｃ１７）。即ち、金融機関側装置１４の金融機関側演算処理部４０１における振替処理部４１１は、この受信した金融機関宛入金情報信号に収容されている店舗識別子を登録するレコードを店舗側装置口座情報テーブル４５０から検索し、検索したレコードから名義、金融機関名及び口座番号を取得する。そして、振替処理部４１１は、取得した金融機関名の金融機関における取得した名義の口座番号の口座へ、金融機関宛入金情報信号に収容されている入金金額だけ入金するように振り替える。ここで、金融機関は、この時点では、店舗側装置１１に入金された現金を現金集配機関を介して受け取ることなく店舗の取引口座に振り込むので、立替払いとなっている。
【００６６】
このように動作することによって本実施形態に係る売上金回収・送金システム１では、店舗側装置１１に売上現金が入金されると入金情報がセンタ側装置１２を介して金融機関側装置１４に通知され、店舗側装置１１に入金した現金金額が店舗の取引口座に入金される。そのため、店舗の責任者は、夜間金庫等を利用することなく売上現金を店舗側装置１１に入金するだけで、金融機関に預ける場合と同様の効果を得ることができ、その日の売上現金を翌日の運転資金に回すことができる。
【００６７】
一方、店舗側装置１１は、翌日のつり銭を用意すべく、責任者に「つり銭用意」ボタン１２２を操作するように促す提示を行う。責任者は、「金種」ボタン１２５を操作することによって金種を指定し、「テンキー」１２４を操作することによって個数（枚数）を指定する。責任者は、つり銭に必要な全ての金種についてこの金種の指定及び個数の指定を繰り返し行う。店舗側装置１１は、この金種の指定及び個数の指定が行われるごとにその結果を表示部１１２に入力された金種と個数を対応付けて表示する。責任者は、表示部１１２に表示された金種と個数とを確認し、「つり銭用意」ボタン１２２を操作する。
【００６８】
「つり銭用意」ボタン１２２が操作されると（Ｃ２１）、店舗側装置１１の店舗側制御部１０６は、出金処理部１０３を用いて、入力された個数の金種を用意し、貨幣を出金する。そして、店舗側装置１１の店舗側制御部１０６における店舗側送信処理部１３１は、本日の暦をカレンダ部１３２より取得してこの取得した年月日を出金年月日とすると共に、現在時刻を時計部１３３より取得してこの取得した現在時刻を出金時刻とする。店舗側送信処理部１３１は、店舗を識別する店舗識別子と出金年月日の情報と出金時刻の情報と出金金額の情報とを収容した通信信号（センタ宛出金情報信号）をネットワーク１５を介してセンタ側装置１２に送信する（Ｃ２２）。そして、店舗側送信処理部１３１は、新たな管理番号を登録して入出金履歴情報テーブル１５１に、年月日、時刻及び出金金額の情報を登録する。
【００６９】
さらに、店舗側装置１１の店舗側制御部１０６は、印刷部１０４を用いて、出入金明細書を用紙に印字してプリントアウトする。出入金明細書には、入金された金種、その個数、合計入金金額及び入金時刻と、出金した金種、その個数、合計出金金額及び出金時刻と、年月日と、店舗識別子とが記載される。責任者が「つり銭用意」ボタン１２２を操作することによって、出金された貨幣の所有権が店舗側に移転するので、この出入金明細書が店舗側の控えとなる。
【００７０】
ここで、入金金額と出金金額との差額を示す情報をセンタ側装置１２に送信してもよいが、入出金に応じて貨幣の所有権が移転するので入金金額と出金金額とを明確に残す観点から、本実施形態では、センタ宛入金情報信号とセンタ宛出金情報信号とをセンタ側装置１２に送信するように構成している。なお、この観点から、センタ宛入金情報信号及びセンタ宛出金情報信号を送信する代わりに、「つり銭用意」ボタン１２２が操作された後に、店舗識別子と入金金額の情報と入金時刻の情報と出金金額の情報と出金時刻の情報とを纏めて収容した通信信号（センタ宛入出金情報信号）をセンタ側装置１２に送信するように構成してもよい。
【００７１】
センタ側装置１２は、センタ宛出金情報信号を店舗側装置１１から受信すると、出金処理を行う（Ｃ２３）。即ち、センタ側装置１２のセンタ側演算処理部２０１における入出金情報処理部２１１は、この受信したセンタ宛出金情報信号に収容されている店舗識別子、年月日の情報、出金時刻の情報及び出金金額の情報を店舗側装置出入金情報テーブル２５０に登録する。そして、入出金情報処理部２１１は、この受信したセンタ宛出金情報信号の店舗識別子、年月日の情報、入金時刻の情報及び入金金額の情報を収容した現金集配宛出金情報信号及び金融機関宛出金情報信号を現金集配側装置１３及び金融機関側装置１４へ送信する（Ｃ２４、Ｃ２５）。このように各店舗に配置された各店舗側装置１１における出金情報がセンタ側装置１２で集中的に管理され、センタ側装置１２から出金情報が現金集配側装置１３及び金融機関側装置１４へ通知される。
【００７２】
現金集配側装置１３は、現金集配宛出金情報信号をセンタ側装置１２から受信すると、貨幣量更新処理を行う（Ｃ２６）。即ち、現金集配側装置１３の現金集配側演算処理部３０１におけるテーブル処理部３１１は、この受信した現金集配宛出金情報信号に収容されている店舗識別子、年月日の情報、出金時刻の情報及び出金金額の情報を店舗側装置別貨幣量情報テーブル３５０に登録する。このように各店舗に配置された各店舗側装置１１における出金情報がセンタ側装置１２を介して現金集配側装置１３に送信されるので、店舗側装置１１に出金があるとその出金の事実を把握することができ、店舗側装置１１の現在の貨幣量を把握することができる。そして、現金集配側出力部３０４に出力させることで、店舗側装置１１の現在の貨幣量を認識することができ、的確な時期に貨幣の回収を行うことができる。
【００７３】
金融機関側装置１４は、金融機関宛出金情報信号をセンタ側装置１２から受信すると、出金振替処理を行う（Ｃ２７）。即ち、金融機関側装置１４の金融機関側演算処理部４０１における振替処理部４１１は、この受信した金融機関宛出金情報信号に収容されている店舗識別子を登録するレコードを店舗側装置口座情報テーブル４５０から検索し、検索したレコードから名義、金融機関名及び口座番号を取得する。そして、振替処理部４１１は、取得した金融機関名の金融機関における取得した名義の口座番号の口座へ、金融機関宛出金情報信号に収容されている出金金額だけ引き落とすように振り替える。
【００７４】
このように動作することによって本実施形態に係る売上金回収・送金システム１では、店舗側装置１１からつり銭が出金されると出金情報がセンタ側装置１２を介して金融機関側装置１４に通知され、店舗側装置１１から出金した金額が店舗の取引口座から引き落とされる。そのため、店舗の責任者は、店舗の取引口座を開設している金融機関に出向くことなくつり銭を用意することができる。金融機関は、この時点では、出金金額を引き落とし可能な残高が店舗の取引口座に有るなしにかかわらず店舗の取引口座から引き落とすので、立替払いとなっている。
【００７５】
ここで、センタ側装置１２は、金融機関宛入金情報信号、集配機関宛入金情報信号、金融機関宛出金情報信号及び集配機関宛出金情報信号をそれぞれ送信する代わりに、センタ宛出金情報信号を受信した後に、店舗識別子と入金金額の情報と入金時刻の情報と出金金額の情報と出金時刻の情報とを収容した通信信号（金融機関宛入出金情報信号及び集配機関宛入出金情報信号）を金融機関側装置１４及び現金集配側装置１３にそれぞれ送信するように構成してもよいが、責任者が「つり銭用意」ボタン１２２を操作しない、あるいは、例えば「つり銭用意ボタン」１２２が翌日に操作される等の「入金」ボタン１２１に連続して「つり銭用意」ボタン１２２を操作しない場合もあり得る。本実施形態では、貨幣を取り扱っているので情報伝達の確実性やリアルタイム性を重視する観点から、金融機関宛入金情報信号、集配機関宛入金情報信号、金融機関宛出金情報信号及び集配機関宛出金情報信号をそれぞれ送信するように構成している。
【００７６】
また、上述の実施形態では、つり銭用意ボタンが操作されると直ちに出金されるように構成したが、貨幣を出金してしまうと出金したつり銭が盗難等の被害に遭う可能性があるのでこれを防止する観点から、指定された時間に出金するように構成してもよい。時間の指定は、つり銭用意の操作ごとに指定時間の入力を求めるように構成してもよいが、日々変更される性質のものではないので、図２に示すように、「出金時刻」ボタン１２３を用意し、この「出金時刻」ボタン１２３が操作された場合に時間の指定を行うように構成してもよい。
【００７７】
次に、現金回収の場合について説明する。図１１において、現金集配機関は、例えば、三日に一度や一週間に一度等の所定の期間ごとや、店舗側装置１１の現在の貨幣量を参照し適宜に、現金輸送車によって店舗側装置１１に格納されている現金を回収する（Ｃ３１）。
【００７８】
現金集配機関は、現金を回収すると、回収処理を行う（Ｃ３２）。即ち、現金集配機関は、現金集配側装置１３にその現金集配側入力部３０３を用いて、現金を回収した店舗側装置１１に対応する店舗識別子、現金を回収した年月日及び時刻、回収した現金の回収金額、店舗側装置１１の貨幣回収金庫１０２に残してきた貨幣量を入力する。これら情報が入力されると、現金集配側装置１３の現金集配側演算処理部３０１におけるテーブル処理部３１１は、入力されたこれら情報で店舗側装置別貨幣量情報テーブル３５０を登録する。そして、テーブル処理部３１１は、現金の回収を行った店舗側装置１１ごとに、前回の回収から今回の回収までの期間において最後に入金情報の登録又は出金情報の登録が行われたレコードにおける貨幣量フィールド３５８の貨幣量と、この入力された貨幣量とが一致するか否かを判断する。テーブル処理部３１１は、判断の結果を現金集配側出力部３０４に出力する。そして、現金集配側装置１３の現金集配側演算処理部３０１における現金集配側送信処理部３１２は、現金の回収に係る、店舗識別子、年月日の情報、回収時刻の情報及び回収金額の情報を収容したセンタ宛回収情報信号をネットワーク１５を介してセンタ側装置１２に送信する（Ｃ３３）。
【００７９】
センタ側装置１２は、センタ宛回収情報信号を現金集配側装置１３から受信すると、回収履歴処理を行う（Ｃ３４）。即ち、センタ側装置１２のセンタ側演算処理部２０１における回収履歴処理部２１２は、この受信したセンタ宛回収情報信号に収容されている店舗識別子、年月日の情報、回収時刻の情報及び回収金額の情報を店舗側装置回収履歴情報テーブル２７０に登録する。そして、回収履歴処理部２１２は、この受信したセンタ宛回収情報信号の店舗識別子、年月日の情報、回収時刻の情報及び回収金額の情報を収容した金融機関宛回収情報信号を金融機関側装置１４へ送信する（Ｃ３５）。このように各店舗に配置された各店舗側装置１１における回収情報がセンタ側装置１２で集中的に管理され、センタ側装置１２から回収情報が金融機関側装置１４へ通知される。
【００８０】
一方、金融機関へは、現金集配機関から現金輸送車によって回収した現金が直接的に持ち込まれ、あるいは、現金が他の金融機関１８に持ち込まれたて他の金融機関１８から振り込まれ（Ｃ３６）、この金融機関宛回収情報信号がセンタ装置１２から受信されると、金融機関側装置１４は、立替払いの清算を行う（Ｃ３７）。即ち、金融機関は、現金集配機関から受け取った現金（他の金融機関１８から振り込まれた金額）と金融機関宛回収情報信号に収容されている回収情報の回収金額との一致を店舗側装置１１ごとに行う。
【００８１】
このように本実施形態に係る売上金回収・送金システム１では、業務内容に応じた店舗側装置１１、センタ装置１２、現金集配側装置１３及び金融機関側装置１４の４個の装置から構成されるので、必ずしも一企業が複数のサービスを行う必要がなく、売上金やつり銭を集配する現金集配サービス、売上金やつり銭の決済を行う金融サービス、及び、売上金やつり銭のデータを管理するセンタサービスの何れか１つのサービスを一企業がこれに対応する装置を配置するだけで行うことができる。このため、様々な企業が売上金回収・送金システムに参入可能であり、競争優位な企業によってサービスが提供されるから、売上金回収・送金システム１の利用料金を低廉にすることができる。
【００８２】
なお、チェーン店のように本店と複数の店舗とから成る場合には、各店舗の入出金・回収にかかる情報を管理するために、センタ側装置１２は、各店舗の入金情報と出金情報と現金回収情報とを、本店に配置されこれらの情報を管理する通信可能なコンピュータである本店側装置１６（図１）に送信するように構成してもよい。
【００８３】
次に、店舗側装置の一具体例について説明する。図１２は、店舗側装置の一具体例の概観正面図を示す図である。図１３は、紙幣ユニットの概観を示す図である。図１３（Ａ）は、平面図であり、図１３（Ｂ）は、側面図であり、そして、図１３（Ｃ）は、正面図である。図１４は、紙幣ユニットの内部構成を示す略図である。図１４（Ａ）は、平面方向から見た略図であり、図１４（Ｂ）は、側面方向から見た略図であり、そして、図１４（Ｃ）は、正面方向から見た略図である。図１５は、硬貨ユニット及びターミナルユニットの概観を示す図である。図１５（Ａ）は、平面図であり、図１５（Ｂ）は、正面図であり、そして、図１５（Ｃ）は、側面図である。図１６は、硬貨ユニット及びターミナルユニットの内部構成を示す略図である。図１６（Ａ）は、平面方向から見た硬貨ユニットの略図であり、図１６（Ｂ）は、正面方向から見た硬貨ユニットの略図であり、図１６（Ｃ）は、平面方向から見たターミナルユニットの略図であり、そして、図１６（Ｄ）は、側面方向から見た硬貨ユニット及びターミナルユニットの略図である。
【００８４】
図１２において、一具体例である店舗側装置５００は、紙幣が入金され保管される紙幣ユニット５０１と、硬貨が入金され保管される硬貨ユニット５０３と、店舗側装置５００とセンタ側装置１２との間で売上金回収・送金システム１に係る処理を行うターミナルユニット５０５とを備えて構成される。
【００８５】
紙幣ユニット５０１は、図１２及び図１３に示すように、施錠可能な扉５２３−１、５２３−２、５２３−３を備える開口を有する３個の箱型筐体５２２−１、５２２−２、５２２−３と、平面に施錠可能な扉５２３−４を備える開口を有すと共に正面側に紙幣挿入用の開口（紙幣入金口）５１１及び紙幣排出用の開口（紙幣出金口）５１２を有する箱型筐体５２２−４とを備える。
【００８６】
紙幣ユニット５０１の内部には、入金された紙幣の金種を識別し、計数し、そして、保管及び出金するための各種機構が備えられており、図１４に示すように、商用電源から電力が供給され紙幣ユニット５０１の各部に電力を供給する電源部５１３と、紙幣入金口５１１から挿入された紙幣を一括に取り込む一括取込部５１４と、一括取込部５１４で取り込まれた紙幣を順次にその金種を識別すると共に真贋を判別する鑑別部５１５と、鑑別部５１５で識別された千円紙幣をリジェクト、返却及びつり銭のために一時的に保管する千円紙幣還流庫５１６−１と、鑑別部５１５で識別された二千円及び五千円紙幣をリジェクト、返却及びつり銭のために一時的に保管する二千円又は五千円紙幣還流庫５１６−２と、鑑別部５１５で識別された一万円紙幣をリジェクト、返却及びつり銭のために一時的に保管する一時保留庫５１６−３と、リジェクトの紙幣を一時的に集積するリジェクト部５１７と、回収用の紙幣を保管する紙幣回収金庫５１８と、払出す紙幣を一時的に集積する払出一時集積部５１９と、紙幣ユニット５０１の各部を制御する紙幣ユニット制御部５２０と、ターミナルユニット５０５との間で通信を行う入出力部５２１とを備え、さらに、不図示の紙幣を搬送する紙幣搬送機構や紙幣を計数する紙幣計数機構等を備える。鑑別部５１５の識別・判別結果は、紙幣ユニット制御部５２０に出力される。
【００８７】
ここで、リジェクト部５１７は、扉５２３−１を備える開口を有する箱型筐体５２２−１に収納されるように構成されており、紙幣回収金庫５１８は、扉５２３−２を備える開口を有する箱型筐体５２２−２に収納されるように構成されており、千円紙幣還流庫５１６−１、二千円又は五千円紙幣還流庫５１６−２及び一時保留庫５１６−３は、扉５２３−３を備える開口を有する箱型筐体５２２−３に収納されるように構成されている。
【００８８】
紙幣搬送機構は、例えば、紙幣入金口５１１から一括取込部５１４及び鑑別部５１５を経て千円紙幣還流庫５１６−１、二千円又は五千円紙幣還流庫５１６−２及び一時保留庫５１６−３へ紙幣を搬送すると共に、千円紙幣還流庫５１６−１、二千円又は五千円紙幣還流庫５１６−２及び一時保留庫５１６−３からリジェクト部５１７、紙幣回収金庫５１８又は払出一時集積部５１９へ紙幣を搬送する機構である。紙幣搬送機構は、紙幣入金口５１１、鑑別部５１５、千円紙幣還流庫５１６−１、二千円又は五千円紙幣還流庫５１６−２及び一時保留庫５１６−３の近傍にそれぞれ配置される送りローラと、搬送路の途中に適宜配置されるガイドローラと、これら送りローラ及びガイドローラをベルト等の伝動機構を介して正逆転可能に駆動するモータを備えて構成される。また、紙幣搬送機構には、例えばソレノイド式のアクチュエータにより駆動されるフラッパを備えて構成される紙幣の移動経路を切替える切替機構が設けられており、入金の場合には鑑別部５１５から千円紙幣還流庫５１６−１、二千円又は五千円紙幣還流庫５１６−２及び一時保留庫５１６−３への搬送路を開き、紙幣を紙幣回収金庫５１８へ保管する場合には千円紙幣還流庫５１６−１、二千円又は五千円紙幣還流庫５１６−２及び一時保留庫５１６−３から紙幣回収金庫５１８への搬送路を開き、そして、リジェクト、返却及びつり銭を払出す場合には千円紙幣還流庫５１６−１、二千円又は五千円紙幣還流庫５１６−２及び一時保留庫５１６−３からリジェクト部５１７及び払出一時集積部５１９への搬送路を開く。
【００８９】
紙幣計数機構は、例えば、発光ダイオード等の発光部とホトダイオード等の受光部との光学的センサより構成され、千円紙幣還流庫５１６−１、二千円又は五千円紙幣還流庫５１６−２及び一時保留庫５１６−３の入出の搬送路上に、発光部と受光部との間を紙幣が搬送されるようにそれぞれ配置される。そして、紙幣計数機構は、計数結果を入出の情報と共に紙幣ユニット制御部５２０に出力する。なお、紙幣処理装置の紙幣搬送機構等については、例えば、特開２００２−９９９４１号公報、特開２００２−１０４７０４号公報及び特開２００２−１４５４６２号公報等に開示されている。
【００９０】
そして、硬貨ユニット５０３は、図１２及び図１５に示すように、施錠可能な扉５４３を備える開口を有する箱型筐体からなり、上面側には硬貨挿入用の開口（硬貨入金口）５３１を備え、正面側には硬貨排出用の開口（硬貨出金口）５３２を備える。
【００９１】
硬貨ユニット５０３の内部には、入金された硬貨の金種を識別し、計数し、そして、保管及び出金するための各種機構が備えられており、図１６に示すように、商用電源から電力が供給され硬貨ユニット５０３の各部に電力を供給する電源部５３３と、硬貨入金口５３１から挿入された硬貨を一括に取り込み一時的に保持するホッパー部５３４と、ホッパー部５３４で取り込まれた硬貨を順次にその金種を識別する識別部５３５と、識別部５３５で識別された硬貨を、識別された金種ごとに選別部で選別して一時的に収納部に収納する選別収納部５３６と、回収用の硬貨を保管する硬貨回収金庫５３９と、選別収納部５３６に収納された硬貨を硬貨出金口５３２及び硬貨回収金庫５３９に導くために一時的に保持する払出しホッパー部５３７と、払出しホッパー部５３７から払い出された硬貨を硬貨出金口５３２及び硬貨回収金庫５３９へ搬送する硬貨搬送機構５３８、硬貨ユニット５０３の入金を制御する入金制御部５４０と、硬貨ユニット５０３の出金を制御する出金制御部５４１と、ターミナルユニット５０５との間で通信を行う入出力部５４２とを備える。
【００９２】
選別収納部５３６は、識別部５３５で何れの金種にも該当しないと識別された硬貨をダクトを介して硬貨出金口５３２に排出するリジェクト部５３６−１と、１円硬貨を１円硬貨収納部に収納する１円強制選別部５３６−２と、１０円硬貨を１０円硬貨収納部に収納する１０円強制選別部５３６−３と、１００円硬貨を１００円硬貨収納部に収納する１００円強制選別部５３６−４と、５円硬貨を５円硬貨収納部に収納する５円強制選別部５３６−５と、５０円硬貨を５０円硬貨収納部に収納する５０円強制選別部５３６−６と、５００円硬貨を５００円硬貨収納部に収納する５００円強制選別部５３６−７と、選別して収納しない場合に各種硬貨を収納するフル収納部５３６−８と、ホッパー部５３４より識別部５３５を介してリジェクト部５３６−１からフル収納部５３６−８まで順次に硬貨を直立状態で搬送する不図示の搬送機構とを備えて構成される。リジェクト部５３６−１、１円〜５００円強制選別部５３６−２〜５３６−７及びフル収納部５３６−８には、ソレノイドに連結された板片状の部材から成る硬貨押出し機構がそれぞれ設けられており、直立状態で搬送される硬貨が硬貨押出し機構で押出され搬送路から脱落することによって、各部５３６−１〜５３６−８に収納される。なお、硬貨処理装置の硬貨搬送機構等については、特開平６−１１９５２２号公報及び特開平６−２７４７３４号公報等に開示されている。
【００９３】
また、ターミナルユニット５０５は、図１２及び図１５に示すように、略三角柱状の筐体からなり、傾斜上面側には表示／入力部５５２の表示／入力面とジャーナルプリンター５５３の用紙排出口とＩＤカードリーダー５５４のＩＤカード挿入部とを備える。
【００９４】
ターミナルユニット５０５の内部には、センタ側装置１２との間で売上金回収・送金システム１に係る各種処理を行う各種装置が備えられており、図１６に示すように、図２に示す店舗側制御部１０６及び店舗側記憶部１０８に対応するメイン制御部５５１と、図２に示す表示／入力部１０５に対応する表示／入力部５５２と、図２に示す印刷部１０４に対応するジャーナルプリンター５５３と、図２に示す認証部１０９に対応するＩＤカードリーダー５５４と、商用電源から電力が供給され硬貨ユニット５０３の各部に電力を供給する電源部５５５と、紙幣ユニット５０１及び硬貨ユニット５０３との間で通信を行う入出力部５５６と、図２に示す店舗側通信インタフェース部１０７に対応する不図示の通信インタフェース部５５７とを備える。
【００９５】
入金及び出金の場合の動作について説明する。店舗の責任者は、ＩＤカードをＩＤカードリーダー５５４のＩＤカード挿入部に挿入する。紙幣入金口５１１から１又は複数の紙幣が挿入されると、紙幣搬送機構により一括取込部５１４に取り込まれる。取り込まれた紙幣は、紙幣搬送機構により１枚ずつ鑑別部５１５に搬送され、鑑別部５１５で金種及び真贋が判定される。判定結果は、紙幣ユニット制御部５２０に通知され、紙幣ユニット制御部５２０は、判定結果に従って紙幣搬送機構を駆動し、鑑別部５１５から判定された紙幣を千円紙幣還流庫５１６−１、二千円又は五千円紙幣還流庫５１６−２及び一時保留庫５１６−３の何れかに搬送する。搬送された紙幣は、金種に応じて千円紙幣還流庫５１６−１、二千円又は五千円紙幣還流庫５１６−２及び一時保留庫５１６−３の何れかに収納される。この収納時に紙幣計数機構によって計数され、入りの情報と共に計数結果が紙幣ユニット制御部５２０に通知される。ここで、判定結果が紙幣ではないと判定された場合には、一時保留庫５１６−３に収納され、直ちに、リジェクト部５１７に搬送され、収納される。同様に、挿入された全ての紙幣について、判定及び収納が終了すると、リジェクト部５１７に収納された紙幣がある場合にはこの紙幣を紙幣出金口５１２から排出する。そして、紙幣ユニット制御部５２０は、挿入された紙幣の金種及びその枚数を入出力部５２１及び入出力部５５６を介してターミナルユニット５０５に出力する。
【００９６】
また、硬貨入金口５３１から１又は複数の硬貨が投入されると、ホッパー部５３４で受け取られる。受け取られた硬貨は、搬送機構により１枚ずつ識別部５３５に搬送され、識別部５３５で金種が識別される。識別結果は、入金制御部５４０に通知され、入金制御部５４０は、搬送機構によって直立状態で搬送中の硬貨を識別結果に従って硬貨押出し機構を動作させ、硬貨の金種に応じてリジェクト部５３６−１、１円強制選別部５３６−２、１０円強制選別部５３６−３、１００円強制選別部５３６−４、５円強制選別部５３６−５、５０円強制選別部５３６−６、５００円強制選別部５３６−７及びフル収納部５３６−８の何れかに落とし入れ収納する。同様に、投入された全ての硬貨について、識別、及び、収納あるいはリジェクトが終了すると、入金制御部５４０は、投入された硬貨の金種及びその枚数を入出力部５４２入及び入出力部５５６を介してターミナルユニット５０５に出力する。
【００９７】
ターミナルユニット５０５のメイン制御部５５１は、上述したように、責任者に表示／入力部５５２の「入金」ボタンを操作するように促す提示を行う。この提示は、例えば、「入金」ボタンの液晶表示を点滅させる。ＩＤカードリーダー５５４で認証が完了し、責任者が「入金」ボタンを操作すると、メイン制御部１５５１は、センタ宛入金情報信号を通信インタフェース部５５７からセンタ側装置１２に送信する。そして、メイン制御部５５１は、新たな管理番号を登録して入出金履歴情報テーブル１５１に入金金額に係る諸情報を登録する。メイン制御部５５１は、センタ側装置１２からセンタ宛入金情報信号の受信応答（ＡＣＫ信号）を受信すると、メイン制御部５５１は、翌日のつり銭を用意すべく、責任者に表示／入力部５５２の「つり銭用意」ボタンを操作するように促す提示を行う。
【００９８】
責任者は、表示／入力部５５２の「金種」ボタンを操作することによって金種を指定し、「テンキー」を操作することによって個数（枚数）を指定する。責任者は、つり銭に必要な全ての金種についてこの金種の指定及び個数の指定を繰り返し行う。ターミナルユニット５０５は、この金種の指定及び個数の指定が行われるごとにその結果を表示／入力部５５２に入力された金種と個数を対応付けて表示する。責任者は、表示／入力部５５２に表示された金種と個数とを確認し、表示／入力部５５２の「つり銭用意」ボタンを操作する。
【００９９】
この「つり銭用意」ボタンが操作されると、ターミナルユニット５０５のメイン制御部５５１は、紙幣に関する金種と個数との紙幣出金情報を入出力部５５６及び入出力部５２１を介して紙幣ユニット５０１の紙幣ユニット制御部５２０に通知し、そして、硬貨に関する金種と個数との硬貨出金情報を入出力部５５６及び入出力部５４２を介して硬貨ユニット５０３の出金制御部５４１に通知する。
【０１００】
紙幣出金情報が通知されると、紙幣ユニット５０１の紙幣ユニット制御部５２０は、紙幣出金情報に従って紙幣搬送機構を駆動し、千円紙幣還流庫５１６−１、二千円又は五千円紙幣還流庫５１６−２及び一時保留庫５１６−３から紙幣出金情報に従う金種及び個数の紙幣を順次に搬送する。搬送された紙幣は、払出一時集積部５１９に集積される。集積が完了すると集積された紙幣が紙幣出金口５１２から排出される。排出が完了すると紙幣ユニット制御部５２０は、千円紙幣還流庫５１６−１、二千円又は五千円紙幣還流庫５１６−２及び一時保留庫５１６−３に収納されている紙幣を全て紙幣搬送機構によって紙幣回収金庫５１８に搬送する。搬送された紙幣は、紙幣回収金庫５１８に収納され保管される。そして、紙幣ユニット制御部５２０は、つり銭用の紙幣の排出が終了した旨と残金の紙幣を紙幣回収金庫５１８に保管した旨を入出力部５２１及び入出力部５５６を介してメイン制御部５５１に通知する。
【０１０１】
また、硬貨出金情報が通知されると、硬貨ユニット５０３の出金制御部５４１は、硬貨搬送機構５３８を硬貨出金口５３２の方向に駆動する。出金制御部５４１は、硬貨出金情報に従う金種及び個数の硬貨を順次に選別収納部５３６の収納部から払出しホッパー部５３７へ排出する。この選別収納部５３６の収納部から払出しホッパー部５３７への硬貨出金情報に従う枚数の排出は、選別収納部５３６−２〜５３６−７ごとに設けられた硬貨投出装置によって行われる。この硬貨投出装置は、例えば、短高円筒状の硬貨容器と、硬貨容器の一方面に設けられた底板と、投出すべき硬貨の厚さに応じた間隔を底板から空けて硬貨容器内に回転可能に設けられた硬貨送り部材とを備え、硬貨容器には投出すべき硬貨の厚さと直径に応じたスリット状の硬貨出口孔が側面下端に設けられ、硬貨送り部材には投出すべき硬貨の直径に応じた直径である円形の硬貨受け孔を周方向に複数設けられると共に、底板と対向する面には半径方向に延在する送り腕及び放物線上に端部が位置するような複数の突起が突設され、底板には複数の案内ピンが送り腕の半径方向外端から硬貨出口孔までの間に半径方向に互いに離間して設けられる。このような構成の硬貨投出装置では、硬貨容器内の硬貨送り部材を回転させることによって、硬貨容器内の硬貨は、硬貨送り部材の硬貨受け孔に入り、この硬貨受け孔に入った硬貨は、底板上に支持され、硬貨送り部材の回転に従って送り腕及び複数の突起によって硬貨出口孔に向けて演習方向に送られる。円周方向に送られた硬貨は、複数の案内ピンに順次に当たり、移動方向が半径方向に変更され、複数の突起によって硬貨出口孔に向けられて、硬貨出口孔から硬貨容器外に押し出される。そして、排出枚数の硬貨が投出されるように、硬貨送り部材の回転時間が制御される。このような硬貨投出装置は、例えば、実公昭５６−５２５１６号公報に開示されている。払出しホッパー部５３７から排出された硬貨は、搬送機構５３８によって硬貨出金口５３２から排出される。排出が完了すると出金制御部５４１は、硬貨搬送機構５３８を硬貨回収金庫５３９の方向に駆動する。出金制御部５４１は、選別収納部５３６の収納部に収納されている残額の硬貨を払出しホッパー部５３７へ排出する。払出しホッパー部５３７から排出された残額の硬貨は、硬貨搬送機構５３８によって硬貨回収金庫５３９へ金庫ダクトを介して収納され保管される。そして、出金制御部５４１は、つり銭用の硬貨の排出が終了した旨と残金の硬貨を硬貨回収金庫５３９に保管した旨を入出力部５４２及び入出力部５５６を介してメイン制御部５５１に通知する。
【０１０２】
メイン制御部５５１は、紙幣ユニット制御部５２０及び出金制御部５４１から通知を受けると、つり銭を出金した旨を表示／入力部５５２に表示し、センタ宛出金情報信号を通信インタフェース部５５７からセンタ側装置１２に送信する。そして、メイン制御部５５１は、新たな管理番号を登録して入出金履歴情報テーブル１５１に出金金額に係る諸情報を登録する。メイン制御部５５１は、センタ側装置１２からセンタ宛出金情報信号の受信応答を受信すると出金処理を終了する。
【図面の簡単な説明】
【０１０３】
【図１】売上金回収・送金システムの構成を示す図である。
【図２】店舗側装置の構成を示すブロック図である。
【図３】入出金履歴情報テーブルを示す図である。
【図４】センタ側装置の構成を示すブロック図である。
【図５】店舗側装置入出金情報テーブル及びセンタ側店舗情報テーブルを示す図である。
【図６】現金集配側装置の構成を示すブロック図である。
【図７】店舗側装置別貨幣量情報テーブル及び現金集配側店舗情報テーブルを示す図である。
【図８】金融機関側装置の構成を示すブロック図である。
【図９】店舗側装置口座情報テーブルの構成を示す図である。
【図１０】入出金の場合における売上金回収・送金システムの動作を示すシーケンス図である。
【図１１】現金の回収の場合における売上金回収・送金システムの動作を示すシーケンス図である。
【図１２】店舗側装置の一具体例の概観正面図を示す図である。
【図１３】紙幣ユニットの概観を示す図である。
【図１４】紙幣ユニットの内部構成を示す略図である。
【図１５】硬貨ユニット及びターミナルユニットの概観を示す図である。
【図１６】硬貨ユニット及びターミナルユニットの内部構成を示す略図である。
【図１７】特許文献１における第１の売上金管理方法を説明するための図である。
【図１８】特許文献１における第２の売上金管理方法を説明するための図である。
【符号の説明】
【０１０４】
１  売上金回収・送金システム、１１  店舗側装置、１２  センタ側装置、１３  現金集配側装置、１４  金融機関側装置、１５  ネットワーク、１６  本店側装置、１０１  入金処理部、１０２  貨幣回収金庫、１０３  出金処理部、１０４  印刷部、１０５  表示／入力部、１０６  店舗側制御部、１０７  店舗側通信インタフェース部、１０８  店舗側記憶部、１０９  認証部、１１１  入力部、１１２  表示部、１２１  「入金」ボタン、１２２  「つり銭用意」ボタン、１２３  「出金時刻」ボタン、１２４  テンキー、１２５  「金種」ボタン、１３１  店舗側送信処理部、１３２  カレンダ部、１３３  時計部、１４１  入出金履歴情報テーブル記憶部、１５０  入出金履歴情報テーブル、２０１  センタ側演算処理部、２０２  センタ側通信インタフェース部、２０７  センタ側補助記憶部、２１１  入出金情報処理部、２１２  回収履歴処理部、２２１  店舗側装置入出金情報テーブル記憶部、２２２  センタ側店舗情報テーブル記憶部、２２３  店舗側装置回収履歴情報テーブル記憶部、２５０  店舗側装置入出金情報テーブル、２６０  センタ側店舗情報テーブル、２７０  店舗側装置回収履歴情報テーブル、３０１  現金集配側演算処理部、３０２  現金集配側通信インタフェース部、３０７  現金集配側補助記憶部、３１１  テーブル処理部、３１２  現金集配側送信処理部、３２１  店舗側装置別貨幣量情報テーブル記憶部、３２２  現金集配側店舗情報テーブル記憶部、３５０  店舗側装置別貨幣量情報テーブル、３６０  現金集配側店舗情報テーブル、４０１  金融機関側演算処理部、４０２  金融機関側通信インタフェース部、４０７  金融機関側補助記憶部、４１１  振替処理部、４１２  店舗側装置口座情報テーブル記憶部、４５０  店舗側装置口座情報テーブル
【図１】
0004567552.tif 000002
【図２】
0004567552.tif 000003
【図３】
0004567552.tif 000004
【図４】
0004567552.tif 000005
【図５】
0004567552.tif 000006
【図６】
0004567552.tif 000007
【図７】
0004567552.tif 000008
【図８】
0004567552.tif 000009
【図９】
0004567552.tif 000010
【図１０】
0004567552.tif 000011
【図１１】
0004567552.tif 000012
【図１２】
0004567552.tif 000013
【図１３】
0004567552.tif 000014
【図１４】
0004567552.tif 000015
【図１５】
0004567552.tif 000016
【図１６】
0004567552.tif 000017
【図１７】
0004567552.tif 000018
【図１８】
0004567552.tif 000019